(57)【要約】【課題】屋根に屋根材と共に太陽電池モジュールを外観上体裁よく設置することができると共に、太陽電池モジュールを安価かつ容易に製造でき、しかも太陽電池モジュールの施工も容易になし得るようにする。【解決手段】屋根の横方向両側に位置する一対の稜線間に太陽電池モジュールを設置するモジュール設置領域が設けられ、モジュール設置領域は複数の矩形形状からなるモジュール設置区分を縦方向に積載したものである太陽電池モジュールの設置構造であって、  各太陽電池モジュールの縦幅および横幅が互いに同一に設定され、かつ、モジュール設置区分の横方向の長さが、横方向両側の上側頂点を結ぶ線分を、それぞれ隣接する稜線の傾斜に近づけるべく設定され、  前記複数のモジュール設置区分の少なくとも１つが、縦方向に隣り合う太陽電池モジュール同士が横方向にずれることなく縦方向に複数段設置される複数段設置部により構成されている。【選択図】図１
2006037643.tif 000002
【特許請求の範囲】
【請求項１】
屋根（１）の横方向両側に位置する一対の稜線（Ａ）間に太陽電池モジュール（４）を設置するモジュール設置領域（Ｂ）が設けられ、モジュール設置領域（Ｂ）は複数の矩形形状からなるモジュール設置区分（ｄ）を縦方向に積載したものである太陽電池モジュールの設置構造であって、
各太陽電池モジュール（４）の縦幅（Ｄ２）および横幅（Ｗ２）が互いに同一に設定され、かつ、モジュール設置区分（ｄ）の横方向の長さが、横方向両側の上側頂点（ａ）を結ぶ線分（Ｃ）を、それぞれ隣接する稜線（Ａ）の傾斜に近づけるべく設定され、
前記複数のモジュール設置区分（ｄ）の少なくとも１つが、縦方向に隣り合う太陽電池モジュール（４）同士が横方向にずれることなく縦方向に複数段設置される複数段設置部（２３）により構成されていることを特徴とする太陽電池モジュールの設置構造。
【請求項２】
モジュール設置領域（Ｂ）は、太陽電池モジュール（４）の縦方向の設置段数の異なる複数種のモジュール設置区分（ｄ）の組み合わせで構成されていることを特徴とする請求項１に記載の太陽電池モジュールの設置構造。
【請求項３】
複数種のモジュール設置区分（ｄ）が縦方向に繰り返して設置されていることを特徴とする請求項２に記載の太陽電池モジュールの設置構造。
【請求項４】
太陽電池モジュール（４）の縦幅（Ｄ２）が、屋根材（３）の縦方向の働き寸法（Ｄ１）の整数倍に設定されていることを特徴とする請求項１〜３のいずれかに記載の太陽電池モジュールの設置構造。
【請求項５】
太陽電池モジュール（４）の横幅（Ｗ２）が、屋根材（３）の横方向の働き寸法（Ｗ１）の整数倍に設定され、かつ縦方向に隣り合うモジュール設置区分（ｄ）の横方向のずれ幅（Ｌ）が、屋根材（３）の横方向の働き寸法（Ｗ１）の１／２の整数倍に設定されるとともに、屋根材（３）の横方向の働き寸法（Ｗ１）の１／２となる半瓦の屋根材（２１）が具備され、モジュール設置区分（ｄ）の横方向に隣接して、前記屋根材（３）又は半瓦の屋根材（２１）が設置されていることを特徴とする請求項１〜４のいずれかに記載の太陽電池モジュールの設置構造。
【請求項６】
各モジュール設置区分（ｄ）の横方向両側の上側頂点（ａ）を結ぶ線分（Ｃ）が、それぞれ隣接する稜線（Ａ）と略平行に並ぶように、前記各モジュール設置区分（ｄ）における太陽電池モジュール（４）の縦方向の設置段数と、前記各モジュール設置区分（ｄ）同士の横方向のずれ幅（Ｌ）が、設定されていることを特徴とする請求項１〜５のいずれかに記載の太陽電池モジュールの設置構造。
【発明の詳細な説明】
【技術分野】
【０００１】
本発明は、寄棟屋根等の屋根に、屋根材と共に設置される太陽電池モジュールの設置構造に関するものである。
【背景技術】
【０００２】
図２３に示すように、寄棟屋根等の屋根３１の横方向両側に位置する一対の隅棟稜線Ａ間に、モジュール設置領域Ｂを設け、このモジュール設置領域Ｂに、複数の太陽電池モジュール３２を縦横に設置するようにした太陽電池モジュール３２の設置構造では、例えば、複数の太陽電池モジュール３２の縦幅を、屋根材３の縦方向の働き寸法と同一に設定すると共に、複数の太陽電池モジュール３２の横幅を、屋根材３３の横方向の働き寸法の整数倍に設定して、モジュール設置領域Ｂに、複数の太陽電池モジュール３２を、屋根材３３に対して縦方向にずれないように横方向に対応させて設置し、これにより、屋根材３３の設置と太陽電池モジュール３２の設置とを対応させて、屋根３１の外観上の体裁がよくなるようにしたものがある。
【０００３】
この種の従来の太陽電池モジュールの設置構造では、モジュール設置領域Ｂの横方向両側の複数段の太陽電池モジュール３１を、それぞれ隣接する隅棟稜線Ａと略平行に並べて、屋根３１の美観を損ねないようにするために、モジュール設置領域Ｂに設置する太陽電池モジュール３２として、横幅が短い太陽電池モジュールと長い太陽電池モジュールとの複数種類の太陽電池モジュールを設け、これらをモジュール設置領域Ｂに設置するようにしていた（例えば、特許文献１、特許文献２、特許文献３）。
【特許文献１】特開２００２−１３８６３３号公報
【特許文献２】特開２００２−１３８６３７号公報
【特許文献３】特開２００２−１３８６３８号公報
【発明の開示】
【発明が解決しようとする課題】
【０００４】
しかし、従来の場合、短い太陽電池モジュールと長い太陽電池モジュールとの複数種類の太陽電池モジュール３２を設置していたため、複数種の太陽電池モジュール３２を製造する必要があり、太陽電池モジュール３２の製造が面倒で製造費用も高く付いた。また、横幅の異なる複数種の太陽電池モジュール３２があるため、太陽電池モジュール３２の施工も非常に面倒になった。
本発明は、上記問題点に鑑み、屋根に屋根材と共に太陽電池モジュールを外観上体裁よく設置することができると共に、太陽電池モジュールを安価かつ容易に製造でき、しかも太陽電池モジュールの施工も容易になし得るようにしたものである。
【課題を解決するための手段】
【０００５】
この技術的課題を解決するための本発明の技術的手段は、屋根の横方向両側に位置する一対の稜線間に太陽電池モジュールを設置するモジュール設置領域が設けられ、モジュール設置領域は複数の矩形形状からなるモジュール設置区分を縦方向に積載したものである太陽電池モジュールの設置構造であって、
各太陽電池モジュールの縦幅および横幅が互いに同一に設定され、かつ、モジュール設置区分の横方向の長さが、横方向両側の上側頂点を結ぶ線分を、それぞれ隣接する稜線の傾斜に近づけるべく設定され、
前記複数のモジュール設置区分の少なくとも１つが、縦方向に隣り合う太陽電池モジュール同士が横方向にずれることなく縦方向に複数段設置される複数段設置部により構成されている点にある。
【０００６】
また、本発明の他の技術的手段は、モジュール設置領域は、太陽電池モジュールの縦方向の設置段数の異なる複数種のモジュール設置区分の組み合わせで構成されている点にある。
また、本発明の他の技術的手段は、複数種のモジュール設置区分が縦方向に繰り返して設置されている点にある。
また、本発明の他の技術的手段は、太陽電池モジュールの縦幅が、屋根材の縦方向の働き寸法の整数倍に設定されている点にある。
【０００７】
また、本発明の他の技術的手段は、太陽電池モジュールの横幅が、屋根材の横方向の働き寸法の整数倍に設定され、かつ縦方向に隣り合うモジュール設置区分の横方向のずれ幅が、屋根材の横方向の働き寸法の１／２の整数倍に設定されるとともに、屋根材の横方向の働き寸法の１／２となる半瓦の屋根材が具備され、モジュール設置区分の横方向に隣接して、前記屋根材又は半瓦の屋根材が設置されている点にある。
また、本発明の他の技術的手段は、各モジュール設置区分の横方向両側の上側頂点を結ぶ線分が、それぞれ隣接する稜線と略平行に並ぶように、前記各モジュール設置区分における太陽電池モジュールの縦方向の設置段数と、前記各モジュール設置区分同士の横方向のずれ幅が、設定されている点にある。
【発明の効果】
【０００８】
本発明によれば、モジュール設置領域の横方向両側の太陽電池モジュールの並びを、それぞれ隣接する隅棟稜線の傾斜に近づけることができ、屋根に屋根材と共に太陽電池モジュールを外観上体裁よく設置することができる。また、屋根に設置する太陽電池モジュールは横幅及び縦幅が互いに同一な１種類の太陽電池モジュールで済むため、太陽電池モジュールを安価かつ容易に製造でき、しかも太陽電池モジュールの施工も容易になし得るようになる。
【発明を実施するための最良の形態】
【０００９】
以下、本発明を図示の実施の形態に従って説明する。
図１において、１は住宅等の建物の寄棟屋根で、この寄棟屋根１は、例えば５寸勾配に形成されて、寄棟屋根１の横方向（桁行方向）の両端側に位置する一対の隅棟稜線Ａを有し、一対の隅棟稜線Ａは、屋根１の横方向中央の縦線を基準として線対称（左右対称）に配置されている。寄棟屋根１の一対の隅棟稜線Ａ間にモジュール設置領域Ｂが設けられている。寄棟屋根１のモジュール設置領域Ｂの周囲に、多数の屋根材３が設けられ、各屋根材３は、縦方向に隣り合う屋根材３同士が、横方向の働き寸法Ｗ１の１／２だけ順次横方向にずれるように、千鳥状に設置されている。モジュール設置領域Ｂに、多数の太陽電池モジュール４が縦横に設置され、これにより、寄棟屋根１に多数の屋根材３と共に多数の太陽電池モジュール４が設置されている。モジュール設置領域Ｂの各太陽電池モジュール４は、屋根材３に対して縦方向にずれないように横方向に対応させて設置されている。
【００１０】
各屋根材３は、屋根瓦としての機能を持つ通常の屋根材であって、例えば図４〜図６に示すように、横方向一対の波型凸部７，８と横方向一端側の樋部９と縦方向上端側の下係合凸部１０と縦方向上端側の上係合凸部１１と縦方向下端側の接当凸部１２と縦方向下端側の下面に設けた嵌合凹部１３とを有する波板瓦の一枚瓦で構成され、図６に示すように、屋根材３の下係合凸部１０を野地板１５の横桟１６に係合し、屋根材３の接当凸部１２側を縦方向下側に隣接する屋根材３上に重合配置し、また、図５に示すように、樋部９を横方向の一方側に隣接する屋根材３の波型凸部７の下側に重合すると共に、波型凸部７を横方向の他方側に隣接する屋根材３の樋部９上に重合配置し、また、縦方向に隣り合う上側の屋根材３の嵌合凹部１３を、下側の屋根材３の波型凸部７，８に上方から嵌合するようにしている。
【００１１】
各屋根材３は、縦方向（屋根流れ方向）の働き寸法Ｄ１が、例えば２８０ｍｍに設定され、横方向（桁行方向）の働き寸法Ｗ１が、例えば３０３ｍｍや３０６ｍｍに設定されている。
モジュール設置領域Ｂの各太陽電池モジュール４は、通常の屋根材と同じように野地板１５にレール無しで葺き上げることができる屋根瓦としての機能を併せ持つ屋根材一体型のもので、図２及び図３に示すように、ソーラーセルをガラスで封入してなる複数の太陽電池１９を金属製のフレーム等により支持して矩形状に構成され、太陽電池モジュール４は、縦幅（屋根流れ方向の寸法）Ｄ２が例えば２８０ｍｍに設定され、横幅（桁行方向の寸法）Ｗ２が例えば９０９ｍｍや９１８ｍｍに設定されている。従って、太陽電池モジュール４の縦幅Ｄ２は、屋根材３の縦方向の働き寸法Ｄ１と同一（働き寸法Ｄ１の整数倍（１倍））に設定されている。太陽電池モジュール４の横幅Ｗ２が屋根材３の横方向の働き寸法Ｗ１の３倍（整数倍）に設定されている。また、多数の太陽電池モジュール４は互いに同一の形状及び同一の大きさの同一種類の太陽電池モジュールとされ、各太陽電池モジュール４の縦幅Ｄ２が互いに同一に設定されると共に、各太陽電池モジュール４の横幅Ｗ２が互いに同一に設定されている。
【００１２】
図１に示すように、モジュール設置領域Ｂは一対の隅棟稜線Ａ間に略台形状又は三角形に形成され、このモジュール設置領域Ｂに、多数の太陽電池モジュール４が、その縦方向の下端側から２段毎に順次横方向に並ぶ個数が次第に少なくなるように設置され、モジュール設置領域Ｂの多数の太陽電池モジュール４は、一対の隅棟稜線Ａと共に、屋根１の横方向中央の縦線を基準として線対称（左右対称）に配置されている。
即ち、モジュール設置領域Ｂの下段側から、１段目と２段目とに横方向に並んで７つの太陽電池モジュール４が設置され、３段目と４段目とに横方向に並んで６つの太陽電池モジュール４が設置され、５段目と６段目とに横方向に並んで５つの太陽電池モジュール４が設置され、７段目と８段目とに横方向に並んで４つの太陽電池モジュール４が設置され、９段目と１０段目とに横方向に並んで３つの太陽電池モジュール４が設置され、１１段目と１２段目とに横方向に並んで２つの太陽電池モジュール４が設置され、モジュール設置領域Ｂの最上段である１３段目に横方向に１つの太陽電池モジュール４が設置されている。
【００１３】
従って、縦方向に隣り合う太陽電池モジュール４同士が横方向にずれることなく縦方向に２段（複数段）設置される２段設置部２３ａ（複数段設置部２３）が、モジュール設置領域Ｂの下段側から、太陽電池モジュール４の１段目と２段目との間、３段目と４段目との間、５段目と６段目との間、７段目と８段目との間、９段目と１０段目との間、１１段目と１２段目との間でそれぞれ構成されている。また、縦方向に隣り合う太陽電池モジュール４同士が横方向にずれて設置される横ずれ設置部２４が、モジュール設置領域Ｂの下段側から、太陽電池モジュール４の２段目と３段目との間、４段目と５段目との間、６段目と７段目との間、８段目と９段目との間、１０段目と１１段目との間、１２段目と１３段目との間でそれぞれ構成されている。
【００１４】
モジュール設置領域Ｂの最上段である１３段目の太陽電池モジュール４によって、縦方向の両側（図１の実施形態の場合、上側に隣り合う太陽電池モジュール４は存在しないため、下側）に隣り合う太陽電池モジュール４に対して横方向にずれる１段設置部２５が、構成されている。
モジュール設置領域Ｂは、複数の矩形形状からなるモジュール設置区分ｄを縦方向に積載したものであり、複数のモジュール設置区分ｄは、前記各複数段設置部２３又は１段設置部２５によりそれぞれ構成され、モジュール設置領域Ｂは、太陽電池モジュール４の縦方向の設置段数の異なる複数種のモジュール設置区分ｄ（複数段設置部２３、１段設置部２５）の組み合わせで構成されて、複数種のモジュール設置区分ｄが縦方向に繰り返して設置されている。
【００１５】
前記横ずれ設置部２４の縦方向に隣り合う太陽電池モジュール４同士の横方向のずれ幅Ｌ、即ち、縦方向に隣り合うモジュール設置区分ｄの横方向のずれ幅Ｌが、屋根材３の横方向の働き寸法Ｗ１の１／２の整数倍である３倍に設定されている。そして、モジュール設置領域Ｂの太陽電池モジュール４に横方向に隣接して、１枚瓦で構成した前記屋根材３又は半瓦で構成した屋根材２１が設置されている。
この半瓦で構成した屋根材２１には、図７〜図９に示す左半瓦で構成した左屋根材２１Ｌと、図１０〜図１２に示す右半瓦で構成した右屋根材２１Ｒとがあり、これら左屋根材２１Ｌ及び右屋根材２１Ｒは、一枚瓦で構成した屋根材３と同様に、波型凸部７，８と樋部９と下係合凸部１０と上係合凸部１１と接当凸部１２と嵌合凹部１３とを有し、その縦方向の働き寸法Ｄ３が、１枚瓦で構成した屋根材３の縦方向の働き寸法Ｄ１と同一に設定され、横方向の働き寸法Ｗ３が、１枚瓦で構成した屋根材３の横方向の働き寸法Ｗ１の１／２に設定されている。これら半瓦で構成した屋根材２１は、１枚瓦で構成した屋根材３よりもやや値段は高くなるが、太陽電池モジュール４に比べれば相当安価な値段で市販されているものである。
【００１６】
上記の如く複数のモジュール設置区分ｄの一部を、縦方向に隣り合う太陽電池モジュール４同士が横方向にずれることなく縦方向に複数段設置される複数段設置部２３により構成して、前記複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａ（図１参照）を結ぶ線分Ｃを、それぞれ隣接する隅棟稜線Ａの傾斜に近づけている。また、前記複数段設置部２３における太陽電池モジュール４の縦方向の設置段数を、２段に設定し、横ずれ設置部２４における横ずれ寸法Ｌを、働き寸法Ｗ１の１／２の３倍に設定することにより、即ち、前記各モジュール設置区分ｄにおける太陽電池モジュール４の縦方向の設置段数を１段又は２段に設定し、各モジュール設置区分ｄ同士の横方向のずれ幅Ｌを、働き寸法Ｗ１の１／２の３倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。
【００１７】
ここで、隅棟稜線Ａと略平行に並ぶとは、例えば、各モジュール設置区分ｄ（各複数段設置部２３又は１段設置部２５）の横方向両端側の上側頂点ａ（図１参照）を結ぶ線分Ｃと、これに隣接する側の隅棟稜線Ａとが略平行になるようになっていることをいう。また、略平行とは、線分Ｃが隅棟稜線Ａに対して±５°の範囲内で傾斜する場合が含まれる。また、線分Ｃは途中でジグザグに折れ曲がっていてもよく、この場合はジグザクに折れ曲がった線分Ｃの各部が、隅棟稜線Ａに対して±５°以上傾斜していても、線分Ｃが全体として、隅棟稜線Ａに対して±５°の範囲内で傾斜しているものも含まれる。
【００１８】
上記実施の形態によれば、複数のモジュール設置区分ｄの一部を、複数段設置部２３により構成して、縦方向に積載することによって、モジュール設置領域Ｂの横方向両側の太陽電池モジュール４の並びを、それぞれ隣接する隅棟稜線Ａの傾斜に近づけて、複数段設置部２３における太陽電池モジュール４の縦方向の設置段数を、２段に設定し、各モジュール設置区分ｄ同士の横方向のずれ幅Ｌを、働き寸法Ｗ１の１／２の３倍に設定することにより、モジュール設置領域Ｂの横方向両側の複数段の太陽電池モジュール４がそれぞれ隣接する隅棟稜線Ａと略平行に並ぶようになしているので、モジュール設置領域Ｂの複数の太陽電池モジュール４を、屋根材３に対して縦方向にずれないように横方向に対応させることにより、屋根１の外観上の体裁がよくなるばかりではなく、太陽電池モジュール４のうちの横方向（桁行方向）両側の太陽電池モジュール４を、隅棟屋根１の隅棟稜線Ａと略平行に並べることによっても、太陽電池モジュール４の設置を、隅棟屋根１の全体から見て調和と統一の取れた外観上の体裁のよいものになし得る。
【００１９】
また、従来のように、モジュール設置領域Ｂに、短い太陽電池モジュールと長い太陽電池モジュールとの複数種類の太陽電池モジュールを設置する必要がなくなり、多数の太陽電池モジュール４は、互いに同一の形状及び同一の大きさとなる同一種類の太陽電池モジュールとされるため、太陽電池モジュール４を安価かつ容易に製造でき、しかも太陽電池モジュール４の施工も容易になし得るようになる。
また、モジュール設置領域Ｂの多数の太陽電池モジュール４が、一対の隅棟稜線Ａと共に、屋根１の横方向中央の縦線を基準として線対称（左右対称）に配置されているので、この点からも太陽電池モジュール４の配置が単純になって、太陽電池モジュール４のモジュール設置領域Ｂへの設置がより一層簡単になり、太陽電池モジュール４の施工を楽になすことができる。
【００２０】
また、横ずれ設置部２４の縦方向に隣り合う太陽電池モジュール４同士の横方向のずれ幅Ｌが、屋根材３の横方向の働き寸法Ｗ１の１／２の整数倍に設定され、モジュール設置領域Ｂの太陽電池モジュール４に横方向に隣接して、１枚瓦で構成した屋根材３又は半瓦で構成した屋根材２１が設置されているので、一般的に市販されている１枚瓦の屋根材３や半瓦の屋根材２１を使用すればよく、施工現場等で屋根材を中途半端に切断する必要がなくなり、この点からも、屋根材３，２１乃至太陽電池モジュール４の屋根１への設置がより簡単で、屋根材の廃材が生じ難くなって経済的になる。
【００２１】
図１３は他の実施形態を示し、モジュール設置領域Ｂの下段側から、１段目に横方向に並んで８つの太陽電池モジュール４が設置され、２段目〜４段目の３段に横方向に並んで７つの太陽電池モジュール４が設置され、５段目に横方向に並んで６つの太陽電池モジュール４が設置され、６段目〜８段目の３段に横方向に並んで５つの太陽電池モジュール４が設置され、９段目に横方向に並んで４つの太陽電池モジュール４が設置され、１０段目〜１２段目の３段に横方向に並んで３つの太陽電池モジュール４が設置され、モジュール設置領域Ｂの最上段である１３段目に横方向に並んで２つの太陽電池モジュール４が設置されている。
【００２２】
従って、縦方向に隣り合う太陽電池モジュール４同士が横方向にずれることなく縦方向に３段（複数段）設置される３段設置部２３ｂ（複数段設置部２３）が、モジュール設置領域Ｂの下段側から、太陽電池モジュール４の２段目〜４段目との間、６段目〜８段目との間、１０段目〜１２段目との間でそれぞれ構成されている。また、縦方向に隣り合う太陽電池モジュール４同士が横方向にずれて設置される横ずれ設置部２４が、モジュール設置領域Ｂの下段側から、太陽電池モジュール４の１段目と２段目との間、４段目と５段目との間、５段目と６段目との間、８段目と９段目との間、９段目と１０段目との間、１２段目と１３段目との間でそれぞれ構成され、横ずれ設置部２４の横ずれ寸法Ｌが、働き寸法Ｗ１の１／２の３倍に設定されている。さらに、縦方向の両側に隣り合う太陽電池モジュール４に対して横方向にずれるように１段の太陽電池モジュール４が設置された１段設置部２５が、モジュール設置領域Ｂの下段側から、太陽電池モジュール４の１段目、５段目、９段目、１３段目によって構成されている。
【００２３】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する隅棟稜線Ａの傾斜に近づけている。また、複数段設置部２３における太陽電池モジュール４の縦方向の設置段数を３段に設定し、横ずれ設置部２４における横ずれ寸法Ｌを、働き寸法Ｗ１の１／２の３倍に設定することにより、即ち、各モジュール設置区分ｄにおける太陽電池モジュール４の縦方向の設置段数を１段又は３段に設定し、各モジュール設置区分ｄ同士の横方向のずれ幅Ｌを、働き寸法Ｗ１の１／２の３倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。その他の点は前記実施の形態の場合と同様の構成であり、前記実施の形態の場合と同様の作用効果を奏する。
【００２４】
図１４は他の実施形態を示し、モジュール設置領域Ｂの下段側から、１段目に横方向に並んで８つの太陽電池モジュール４が設置され、２段目〜３段目の２段に横方向に並んで７つの太陽電池モジュール４が設置され、４段目に横方向に並んで６つの太陽電池モジュール４が設置され、５段目〜６段目の２段に横方向に並んで５つの太陽電池モジュール４が設置され、７段目に横方向に並んで４つの太陽電池モジュール４が設置され、８段目〜９段目の２段に横方向に並んで３つの太陽電池モジュール４が設置され、１０段目に横方向に並んで２つの太陽電池モジュール４が設置され、モジュール設置領域Ｂの最上段である１１段目〜１２段目の２段に横方向に１つの太陽電池モジュール４が設置されている。
【００２５】
従って、縦方向に隣り合う太陽電池モジュール４同士が横方向にずれることなく縦方向に２段（複数段）設置される２段設置部２３ａ（複数段設置部２３）が、モジュール設置領域Ｂの下段側から、太陽電池モジュール４の２段目と３段目との間、５段目と６段目との間、８段目と９段目との間、１１段目と１２段目との間でそれぞれ構成されている。また、縦方向に隣り合う太陽電池モジュール４同士が横方向にずれて設置される横ずれ設置部２４が、モジュール設置領域Ｂの下段側から、太陽電池モジュール４の１段目と２段目との間、３段目と４段目との間、４段目と５段目との間、６段目と７段目との間、７段目と８段目との間、９段目と１０段目との間、１０段目と１１段目との間でそれぞれ構成され、横ずれ設置部２４の横ずれ寸法Ｌが、働き寸法Ｗ１の１／２の３倍に設定されている。さらに、縦方向の両側に隣り合う太陽電池モジュール４に対して横方向にずれるように１段の太陽電池モジュール４が設置される１段設置部２５が、モジュール設置領域Ｂの下段側から、太陽電池モジュール４の１段目、４段目、７段目、１０段目によって構成されている。
【００２６】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する隅棟稜線Ａの傾斜に近づけている。また、複数段設置部２３における太陽電池モジュール４の縦方向の設置段数を２段に設定し、横ずれ設置部２４における横ずれ寸法Ｌを、働き寸法Ｗ１の１／２の３倍に設定することにより、即ち、各モジュール設置区分ｄにおける太陽電池モジュール４の縦方向の設置段数を１段又は２段に設定し、各モジュール設置区分ｄ同士の横方向のずれ幅Ｌを、働き寸法Ｗ１の１／２の３倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。その他の点は前記実施の形態の場合と同様の構成であり、前記実施の形態の場合と同様の作用効果を奏する。
【００２７】
図１５は他の実施形態を示し、太陽電池モジュール４の横幅Ｗ２が屋根材３の横方向の働き寸法Ｗ１の４倍（整数倍）に設定されている。モジュール設置領域Ｂの下段側から、１段目〜２段目の２段に横方向に並んで６つの太陽電池モジュール４が設置され、３段目〜５段目の３段に横方向に並んで５つの太陽電池モジュール４が設置され、６段目〜７段目の２段に横方向に並んで４つの太陽電池モジュール４が設置され、８段目〜１０段目の３段に横方向に並んで３つの太陽電池モジュール４が設置され、１１段目〜１２段目の２段に横方向に並んで２つの太陽電池モジュール４が設置され、モジュール設置領域Ｂの最上段である１３段目〜１４段目の２段に横方向に１つの太陽電池モジュール４が設置されている。
【００２８】
従って、縦方向に隣り合う太陽電池モジュール４同士が横方向にずれることなく縦方向に２段（複数段）設置される２段設置部２３ａ（複数段設置部２３）が、モジュール設置領域Ｂの下段側から、太陽電池モジュール４の１段目と２段目との間、６段目と７段目との間、１１段目と１２段目との間、１３段目と１４段目との間でそれぞれ構成されている。また、縦方向に隣り合う太陽電池モジュール４同士が横方向にずれることなく縦方向に３段（複数段）設置される３段設置部２３ｂ（複数段設置部２３）が、モジュール設置領域Ｂの下段側から、太陽電池モジュール４の３段目〜５段目との間、８段目〜１０段目との間でそれぞれ構成されている。また、縦方向に隣り合う太陽電池モジュール４同士が横方向にずれて設置される横ずれ設置部２４が、モジュール設置領域Ｂの下段側から、太陽電池モジュール４の２段目と３段目との間、５段目と６段目との間、７段目と８段目との間、１０段目と１１段目との間、１２段目と１３段目との間でそれぞれ構成され、横ずれ設置部２４の横ずれ寸法Ｌが、働き寸法Ｗ１の１／２の４倍に設定されている。
【００２９】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する隅棟稜線Ａの傾斜に近づけている。また、複数段設置部２３における太陽電池モジュール４の縦方向の設置段数を２段又は３段に設定し、横ずれ設置部２４における横ずれ寸法Ｌを、働き寸法Ｗ１の１／２の４倍に設定することにより、即ち、各モジュール設置区分ｄにおける太陽電池モジュール４の縦方向の設置段数を２段又は３段に設定し、各モジュール設置区分ｄ同士の横方向のずれ幅Ｌを、働き寸法Ｗ１の１／２の４倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。その他の点は前記実施の形態の場合と同様の構成であり、前記実施の形態の場合と同様の作用効果を奏する。
【００３０】
図１６は他の実施形態を示し、太陽電池モジュール４の横幅Ｗ２が屋根材３の横方向の働き寸法Ｗ１の４倍（整数倍）に設定されている。モジュール設置領域Ｂの下段側から、１段目〜２段目の２段に横方向に並んで６つの太陽電池モジュール４が設置され、３段目〜４段目の２段に横方向に並んで５つの太陽電池モジュール４が設置され、５段目〜７段目の３段に横方向に並んで４つの太陽電池モジュール４が設置され、８段目〜９段目の２段に横方向に並んで３つの太陽電池モジュール４が設置され、１０段目〜１１段目の２段に横方向に並んで２つの太陽電池モジュール４が設置され、モジュール設置領域Ｂの最上段である１２段目〜１４段目の３段に横方向に１つの太陽電池モジュール４が設置されている。
【００３１】
従って、縦方向に隣り合う太陽電池モジュール４同士が横方向にずれることなく縦方向に２段（複数段）設置される２段設置部２３ａ（複数段設置部２３）が、モジュール設置領域Ｂの下段側から、太陽電池モジュール４の１段目と２段目との間、３段目と４段目との間、８段目と９段目との間、１０段目と１１段目との間でそれぞれ構成されている。また、縦方向に隣り合う太陽電池モジュール４同士が横方向にずれることなく縦方向に３段（複数段）設置される３段設置部２３ｂ（複数段設置部２３）が、モジュール設置領域Ｂの下段側から、太陽電池モジュール４の５段目〜７段目との間、１２段目〜１４段目との間でそれぞれ構成されている。また、縦方向に隣り合う太陽電池モジュール４同士が横方向にずれて設置される横ずれ設置部２４が、モジュール設置領域Ｂの下段側から、太陽電池モジュール４の２段目と３段目との間、４段目と５段目との間、７段目と８段目との間、９段目と１０段目との間、１１段目と１２段目との間でそれぞれ構成され、横ずれ設置部２４の横ずれ寸法Ｌが、働き寸法Ｗ１の１／２の４倍に設定されている。
【００３２】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する隅棟稜線Ａの傾斜に近づけている。また、複数段設置部２３における太陽電池モジュール４の縦方向の設置段数を２段又は３段に設定し、横ずれ設置部２４における横ずれ寸法Ｌを、働き寸法Ｗ１の１／２の４倍に設定することにより、即ち、各モジュール設置区分ｄにおける太陽電池モジュール４の縦方向の設置段数を２段又は３段に設定し、各モジュール設置区分ｄ同士の横方向のずれ幅Ｌを、働き寸法Ｗ１の１／２の４倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。その他の点は前記実施の形態の場合と同様の構成であり、前記実施の形態の場合と同様の作用効果を奏する。
【００３３】
図１７は他の実施形態を示し、太陽電池モジュール４の横幅Ｗ２が屋根材３の横方向の働き寸法Ｗ１の５倍（整数倍）に設定されている。モジュール設置領域Ｂの下段側から、１段目〜３段目の３段に横方向に並んで４つの太陽電池モジュール４が設置され、４段目〜６段目の３段に横方向に並んで３つの太陽電池モジュール４が設置され、７段目〜９段目の３段に横方向に並んで２つの太陽電池モジュール４が設置され、１０段目〜１２段目の３段に横方向に１つの太陽電池モジュール４が設置されている。
従って、縦方向に隣り合う太陽電池モジュール４同士が横方向にずれることなく縦方向に３段（複数段）設置される３段設置部２３ｂ（複数段設置部２３）が、モジュール設置領域Ｂの下段側から、太陽電池モジュール４の１段目〜３段目の間、４段目〜６段目の間、７段目〜９段目との間、１０段目〜１２段目の間でそれぞれ構成されている。また、縦方向に隣り合う太陽電池モジュール４同士が横方向にずれて設置される横ずれ設置部２４が、モジュール設置領域Ｂの下段側から、太陽電池モジュール４の３段目と４段目との間、６段目と７段目との間、９段目と１０段目との間でそれぞれ構成され、横ずれ設置部２４の横ずれ寸法Ｌが、働き寸法Ｗ１の１／２の５倍に設定されている。
【００３４】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する隅棟稜線Ａの傾斜に近づけている。また、複数段設置部２３における太陽電池モジュール４の縦方向の設置段数を３段に設定し、横ずれ設置部２４における横ずれ寸法Ｌを、働き寸法Ｗ１の１／２の５倍に設定することにより、即ち、各モジュール設置区分ｄにおける太陽電池モジュール４の縦方向の設置段数を３段に設定し、各モジュール設置区分ｄ同士の横方向のずれ幅Ｌを、働き寸法Ｗ１の１／２の５倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。その他の点は前記実施の形態の場合と同様の構成であり、前記実施の形態の場合と同様の作用効果を奏する。
【００３５】
図１８は他の実施形態を示し、太陽電池モジュール４の横幅Ｗ２が屋根材３の横方向の働き寸法Ｗ１の５倍（整数倍）に設定されている。モジュール設置領域Ｂの下段側から、１段目〜２段目の２段に横方向に並んで４つの太陽電池モジュール４が設置され、３段目〜６段目の４段に横方向に並んで３つの太陽電池モジュール４が設置され、７段目〜８段目の２段に横方向に並んで２つの太陽電池モジュール４が設置され、９段目〜１２段目の４段に横方向に１つの太陽電池モジュール４が設置されている。
従って、縦方向に隣り合う太陽電池モジュール４同士が横方向にずれることなく縦方向に２段（複数段）設置される２段設置部２３ａ（複数段設置部２３）が、モジュール設置領域Ｂの下段側から、太陽電池モジュール４の１段目と２段目との間、７段目と８段目との間でそれぞれ構成されている。また、縦方向に隣り合う太陽電池モジュール４同士が横方向にずれることなく縦方向に４段（複数段）設置される４段設置部２３ｃ（複数段設置部２３）が、モジュール設置領域Ｂの下段側から、太陽電池モジュール４の３段目〜６段目の間、９段目〜１２段目の間でそれぞれ構成されている。また、縦方向に隣り合う太陽電池モジュール４同士が横方向にずれて設置される横ずれ設置部２４が、モジュール設置領域Ｂの下段側から、太陽電池モジュール４の２段目と３段目との間、６段目と７段目との間、８段目と９段目との間でそれぞれ構成され、横ずれ設置部２４の横ずれ寸法Ｌが、働き寸法Ｗ１の１／２の５倍に設定されている。
【００３６】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する隅棟稜線Ａの傾斜に近づけている。また、複数段設置部２３における太陽電池モジュール４の縦方向の設置段数を２段又は４段に設定し、横ずれ設置部２４における横ずれ寸法Ｌを、働き寸法Ｗ１の１／２の５倍に設定することにより、即ち、各モジュール設置区分ｄにおける太陽電池モジュール４の縦方向の設置段数を２段又は４段に設定し、各モジュール設置区分ｄ同士の横方向のずれ幅Ｌを、働き寸法Ｗ１の１／２の５倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。その他の点は前記実施の形態の場合と同様の構成であり、前記実施の形態の場合と同様の作用効果を奏する。
【００３７】
図１９は他の実施形態を示し、太陽電池モジュール４の横幅Ｗ２が屋根材３の横方向の働き寸法Ｗ１の５倍（整数倍）に設定されている。モジュール設置領域Ｂの下段側から、１段目〜３段目の３段に横方向に並んで４つの太陽電池モジュール４が設置され、４段目〜７段目の４段に横方向に並んで３つの太陽電池モジュール４が設置され、８段目〜１０段目の３段に横方向に並んで２つの太陽電池モジュール４が設置され、１１段目〜１４段目の４段に横方向に１つの太陽電池モジュール４が設置されている。
従って、縦方向に隣り合う太陽電池モジュール４同士が横方向にずれることなく縦方向に３段（複数段）設置される３段設置部２３ｂ（複数段設置部２３）が、モジュール設置領域Ｂの下段側から、太陽電池モジュール４の１段目〜３段目の間、８段目〜１０段目の間でそれぞれ構成されている。また、縦方向に隣り合う太陽電池モジュール４同士が横方向にずれることなく縦方向に４段（複数段）設置される４段設置部２３ｃ（複数段設置部２３）が、モジュール設置領域Ｂの下段側から、太陽電池モジュール４の４段目〜７段目の間、１１段目〜１４段目の間でそれぞれ構成されている。また、縦方向に隣り合う太陽電池モジュール４同士が横方向にずれて設置される横ずれ設置部２４が、モジュール設置領域Ｂの下段側から、太陽電池モジュール４の３段目と４段目との間、７段目と８段目との間、１０段目と１１段目との間でそれぞれ構成され、横ずれ設置部２４の横ずれ寸法Ｌが、働き寸法Ｗ１の１／２の５倍に設定されている。
【００３８】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する隅棟稜線Ａの傾斜に近づけている。また、複数段設置部２３における太陽電池モジュール４の縦方向の設置段数を３段又は４段に設定し、横ずれ設置部２４における横ずれ寸法Ｌを、働き寸法Ｗ１の１／２の５倍に設定することにより、即ち、各モジュール設置区分ｄにおける太陽電池モジュール４の縦方向の設置段数を３段又は４段に設定し、各モジュール設置区分ｄ同士の横方向のずれ幅Ｌを、働き寸法Ｗ１の１／２の５倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。その他の点は前記実施の形態の場合と同様の構成であり、前記実施の形態の場合と同様の作用効果を奏する。
【００３９】
図２０は他の実施形態を示し、太陽電池モジュール４の横幅Ｗ２が屋根材３の横方向の働き寸法Ｗ１の５倍（整数倍）に設定されている。モジュール設置領域Ｂの下段側から、１段目に横方向に並んで５つの太陽電池モジュール４が設置され、２段目〜４段目の３段に横方向に並んで４つの太陽電池モジュール４が設置され、５段目〜７段目の３段に横方向に並んで３つの太陽電池モジュール４が設置され、８段目〜１０段目の３段に横方向に並んで２つの太陽電池モジュール４が設置され、１１段目〜１３段目の３段に横方向に１つの太陽電池モジュール４が設置されている。
【００４０】
従って、縦方向に隣り合う太陽電池モジュール４同士が横方向にずれることなく縦方向に３段（複数段）設置される３段設置部２３ｂ（複数段設置部２３）が、モジュール設置領域Ｂの下段側から、太陽電池モジュール４の２段目〜４段目の間、５段目〜７段目の間、８段目〜１０段目の間、１１段目〜１３段目の間でそれぞれ構成されている。また、縦方向に隣り合う太陽電池モジュール４同士が横方向にずれて設置される横ずれ設置部２４が、モジュール設置領域Ｂの下段側から、太陽電池モジュール４の１段目と２段目との間、４段目と５段目との間、７段目と８段目との間、１０段目と１１段目との間でそれぞれ構成され、横ずれ設置部２４の横ずれ寸法Ｌが、働き寸法Ｗ１の１／２の５倍に設定されている。さらに、縦方向の両側に隣り合う太陽電池モジュール４に対して横方向にずれるように１段の太陽電池モジュール４が設置される１段設置部２５が、モジュール設置領域Ｂの下段側から、太陽電池モジュール４の１段目によって構成されている。
【００４１】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する隅棟稜線Ａの傾斜に近づけている。また、複数段設置部２３における太陽電池モジュール４の縦方向の設置段数を３段に設定し、横ずれ設置部２４における横ずれ寸法Ｌを、働き寸法Ｗ１の１／２の５倍に設定することにより、即ち、各モジュール設置区分ｄにおける太陽電池モジュール４の縦方向の設置段数を１段又は３段に設定し、各モジュール設置区分ｄ同士の横方向のずれ幅Ｌを、働き寸法Ｗ１の１／２の５倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。その他の点は前記実施の形態の場合と同様の構成であり、前記実施の形態の場合と同様の作用効果を奏する。
【００４２】
図２１は他の実施形態を示し、太陽電池モジュール４の縦幅Ｄ２は、屋根材３の縦方向の働き寸法Ｄ１の２倍（整数倍）に設定され、太陽電池モジュール４の横幅Ｗ２が屋根材３の横方向の働き寸法Ｗ１の５倍（整数倍）に設定されている。モジュール設置領域Ｂの下段側から、１段目に横方向に並んで４つの太陽電池モジュール４が設置され、２段目〜３段目の２段に横方向に並んで３つの太陽電池モジュール４が設置され、４段目に横方向に並んで２つの太陽電池モジュール４が設置され、５段目〜６段目の２段に横方向に１つの太陽電池モジュール４が設置されている。
【００４３】
従って、縦方向に隣り合う太陽電池モジュール４同士が横方向にずれることなく縦方向に２段（複数段）設置される２段設置部２３ａ（複数段設置部２３）が、モジュール設置領域Ｂの下段側から、太陽電池モジュール４の２段目と３段目との間、５段目と６段目との間でそれぞれ構成されている。また、縦方向に隣り合う太陽電池モジュール４同士が横方向にずれて設置される横ずれ設置部２４が、モジュール設置領域Ｂの下段側から、太陽電池モジュール４の１段目と２段目との間、３段目と４段目との間、４段目と５段目との間でそれぞれ構成され、横ずれ設置部２４の横ずれ寸法Ｌが、働き寸法Ｗ１の１／２の５倍に設定されている。さらに、縦方向の両側に隣り合う太陽電池モジュール４に対して横方向にずれるように１段の太陽電池モジュール４が設置される１段設置部２５が、モジュール設置領域Ｂの下段側から、太陽電池モジュール４の１段目、４段目によって構成されている。
【００４４】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する隅棟稜線Ａの傾斜に近づけている。また、複数段設置部２３における太陽電池モジュール４の縦方向の設置段数を２段に設定し、横ずれ設置部２４における横ずれ寸法Ｌを、働き寸法Ｗ１の１／２の５倍に設定することにより、即ち、各モジュール設置区分ｄにおける太陽電池モジュール４の縦方向の設置段数を１段又は２段に設定し、各モジュール設置区分ｄ同士の横方向のずれ幅Ｌを、働き寸法Ｗ１の１／２の５倍に設定することにより、モジュール設置領域Ｂの横方向両側の複数段の太陽電池モジュール４がそれぞれ隣接する隅棟稜線Ａと略平行に並んで、各モジュール設置区分ｄの横方向両側の上側頂点ａを結ぶ線分Ｃが、それぞれ隣接する隅棟稜線Ａと略平行に並ぶようになしている。その他の点は前記実施の形態の場合と同様の構成であり、前記実施の形態の場合と同様の作用効果を奏する。
【００４５】
図２２は他の実施形態を示し、一対の稜線Ａは、隅棟稜線とけらば稜線とで左右非対称に構成され、これに対応して、モジュール設置領域Ｂの多数の太陽電池モジュール４も、屋根１に左右非対称に配置されている。
太陽電池モジュール４の横幅Ｗ２が屋根材３の横方向の働き寸法Ｗ１の４倍（整数倍）に設定されている。モジュール設置領域Ｂの下段側から、１段目〜２段目の２段に横方向に並んで３つの太陽電池モジュール４が設置され、３段目〜５段目の３段に横方向に並んで５つの太陽電池モジュール４が設置され、６段目〜７段目の２段に横方向に並んで２つの太陽電池モジュール４が設置され、８段目〜１０段目の３段に横方向に並んで２つの太陽電池モジュール４が設置され、１１段目〜１２段目の２段に横方向に１つの太陽電池モジュール４が設置され、モジュール設置領域Ｂの最上段である１３段目〜１４段目の２段に横方向に１つの太陽電池モジュール４が設置されている。
【００４６】
従って、縦方向に隣り合う太陽電池モジュール４同士が横方向にずれることなく縦方向に２段（複数段）設置される２段設置部２３ａ（複数段設置部２３）が、モジュール設置領域Ｂの下段側から、太陽電池モジュール４の１段目と２段目との間、６段目と７段目との間、１１段目と１２段目との間、１３段目と１４段目との間でそれぞれ構成されている。また、縦方向に隣り合う太陽電池モジュール４同士が横方向にずれることなく縦方向に３段（複数段）設置される３段設置部２３ｃ（複数段設置部２３）が、モジュール設置領域Ｂの下段側から、太陽電池モジュール４の３段目〜５段目との間、８段目〜１０段目との間でそれぞれ構成されている。また、縦方向に隣り合う太陽電池モジュール４同士が横方向にずれて設置される横ずれ設置部２４が、モジュール設置領域Ｂの下段側から、太陽電池モジュール４の２段目と３段目との間、５段目と６段目との間、７段目と８段目との間、１０段目と１１段目との間、１２段目と１３段目との間でそれぞれ構成され、横ずれ設置部２４の横ずれ寸法Ｌが、働き寸法Ｗ１の１／２の４倍に設定されている。
【００４７】
而して、複数のモジュール設置区分ｄの一部を、縦方向に隣り合う太陽電池モジュール４同士が横方向にずれることなく縦方向に複数段設置される複数段設置部２３により構成して、複数のモジュール設置区分ｄを縦方向に積載することによって、モジュール設置領域Ｂの横方向両側の太陽電池モジュール４の並び、即ち、各モジュール設置区分ｄの横方向両端側の上側頂点ａを結ぶ線分Ｃを、それぞれ隣接する稜線Ａの傾斜に近づけている。また、複数段設置部２３における太陽電池モジュール４の縦方向の設置段数を２段又は３段に設定し、横ずれ設置部２４における横ずれ寸法Ｌを、働き寸法Ｗ１の１／２の４倍に設定することにより、即ち、各モジュール設置区分ｄにおける太陽電池モジュール４の縦方向の設置段数を２段又は３段に設定し、各モジュール設置区分ｄ同士の横方向のずれ幅Ｌを、働き寸法Ｗ１の１／２の４倍に設定することにより、モジュール設置領域Ｂの横方向両側の複数段の太陽電池モジュール４がそれぞれ隣接する稜線Ａと略平行に並んで、各モジュール設置区分ｄの横方向両側の上側頂点ａを結ぶ線分Ｃが、それぞれ隣接する稜線Ａと略平行に並ぶようになしている。その他の点は前記実施の形態の場合と同様の構成であり、太陽電池モジュール４が左右対称に配置されていて、太陽電池モジュール４の施工を楽になすことができ点を除き、前記実施の形態の場合と同様の作用効果を奏する。
【００４８】
なお、図２２の実施の形態の場合、モジュール設置領域Ｂの横方向両側の複数段の太陽電池モジュール４がそれぞれ隣接する稜線Ａと略平行に並ぶとは、モジュール設置領域Ｂの横方向左側については、前記他の実施の形態の場合と同様に、各複数段設置部２３の横方向両端側の上側頂点ａを結ぶ線分Ｃと、これに隣接する側の稜線Ａとが略平行になるようになっていることをいうが、モジュール設置領域Ｂの横方向右側については、右側の稜線Ａに対して２段設置部２３ａの右端と３段設置部２３ｂの左端とが互いに平行になっていて、２段設置部２３ａの右端を結ぶ線分Ｃ１と３段設置部２３ｂの右端を結ぶ線分Ｃ２とのいずれもが、これに隣接する右側の稜線Ａと平行になるため、これによって、モジュール設置領域Ｂの横方向右側の複数段の太陽電池モジュール４が隣接する稜線Ａに対して平行に並んでいるものと認識することができ、調和と統一の取れた外観上の体裁のよいものになる。
【００４９】
なお、前記実施の形態では、屋根材３を、波板瓦の１枚瓦で構成しているが、これに代え、屋根材３を、薄型平板瓦、厚型平板瓦等の１枚瓦で構成するようにしてもよい。
また、前記実施の形態では、太陽電池モジュール４の横幅Ｗ２が屋根材３の横方向の働き寸法Ｗ１の整数倍に設定されているが、これに代え、太陽電池モジュール４の横幅Ｗ２を、屋根材３の横方向の働き寸法Ｗ１とは無関係な寸法に設定するようにしてもよい。また、屋根材３として、横方向或いは縦方向に長いものや、横方向或いは縦方向に任意の長さに切断して屋根１に設置するような横方向及び／又は縦方向の寸法を特定できないようなものを使用するようにしてもよい。
【００５０】
また、前記実施の形態では、複数段設置部２３と、横ずれ設置部２４とが、モジュール設置領域Ｂの縦方向に複数ずつ設けられているが、これに代え、モジュール設置領域Ｂの大きさや形状又は複数段設置部２３における太陽電池モジュール４の段数によっては、複数段設置部２３又は横ずれ設置部２４を、モジュール設置領域Ｂの縦方向に１ずつ設けるようにしてもよい。
また、屋根１の勾配は５寸勾配のものに限定されず、６寸勾配その他の勾配であってもよい。
【産業上の利用可能性】
【００５１】
住宅等の建物の寄棟屋根等の屋根に、屋根材と共に設置される太陽電池モジュールに利用することができる。
【図面の簡単な説明】
【００５２】
【図１】本発明の一実施の形態を示す寄棟屋根の正面図である。
【図２】同寄棟屋根の屋根材及び太陽電池モジュールの正面図である。
【図３】同太陽電池モジュールの側面図である。
【図４】同屋根材の正面図である。
【図５】同屋根材の設置状態を示す底面断面図である。
【図６】同屋根材の設置状態を示す側面断面図である。
【図７】同左半瓦で構成した屋根材の平面図である。
【図８】同左半瓦で構成した屋根材の底面断面図である。
【図９】同左半瓦で構成した屋根材の底面図である。
【図１０】同右半瓦で構成した屋根材の底面図である。
【図１１】同右半瓦で構成した屋根材の底面断面図である。
【図１２】同右半瓦で構成した屋根材の底面図である。
【図１３】他の実施の形態を示す寄棟屋根の正面図である。
【図１４】他の実施の形態を示す寄棟屋根の正面図である。
【図１５】他の実施の形態を示す寄棟屋根の正面図である。
【図１６】他の実施の形態を示す寄棟屋根の正面図である。
【図１７】他の実施の形態を示す寄棟屋根の正面図である。
【図１８】他の実施の形態を示す寄棟屋根の正面図である。
【図１９】他の実施の形態を示す寄棟屋根の正面図である。
【図２０】他の実施の形態を示す寄棟屋根の正面図である。
【図２１】他の実施の形態を示す寄棟屋根の正面図である。
【図２２】他の実施の形態を示す寄棟屋根の正面図である。
【図２３】従来例を示す寄棟屋根の正面図である。
【符号の説明】
【００５３】
１    寄棟屋根
３    屋根材
４    太陽電池モジュール
２１    半瓦で構成した屋根材
２３    ２段設置部
２４    横ずれ設置部
２５    １段設置部
Ｄ１    縦方向の働き寸法
Ｗ１    横方向の働き寸法
Ｄ２    縦幅
Ｗ２    横幅
【図１】
2006037643.tif 000003
【図２】
2006037643.tif 000004
【図３】
2006037643.tif 000005
【図４】
2006037643.tif 000006
【図５】
2006037643.tif 000007
【図６】
2006037643.tif 000008
【図７】
2006037643.tif 000009
【図８】
2006037643.tif 000010
【図９】
2006037643.tif 000011
【図１０】
2006037643.tif 000012
【図１１】
2006037643.tif 000013
【図１２】
2006037643.tif 000014
【図１３】
2006037643.tif 000015
【図１４】
2006037643.tif 000016
【図１５】
2006037643.tif 000017
【図１６】
2006037643.tif 000018
【図１７】
2006037643.tif 000019
【図１８】
2006037643.tif 000020
【図１９】
2006037643.tif 000021
【図２０】
2006037643.tif 000022
【図２１】
2006037643.tif 000023
【図２２】
2006037643.tif 000024
【図２３】
2006037643.tif 000025